(57)【要約】      （修正有）【課題】小型トラックの走行時でも荷台カバーシートの盛り上がりを防ぎ、シートの装着の手間を軽減することができる小型トラックの荷台カバーシートを提供する。【解決手段】小型トラックの荷台の鳥居中央中段又は上段に、台形シート１の中央の裏側に紐で括り付けた長方形の骨組みのＬ型金具１４を引っかけて、長方形の骨組みの反対側のコ型金具を後あおり板にはめ込んで使用する荷台カバーシートであって、コ型金具をはめ込む時は、小型トラックの荷台長の長さに合わせてコ型金具の可動部を長方形の骨組みの左右のパイプに押し込んで、長方形の骨組みのコ型金具までの長さを合わせて、右調整棒止めねじと左調整棒止めねじでコ型金具の可動部を固定して使用する。【選択図】図１
0003219257.tif 000002
【実用新案登録請求の範囲】
【請求項１】
小型トラックの荷台の鳥居部中央中段又は上段に、台形シート（１）の中央の裏側に紐（４１〜４６）で括り付けた長方形の骨組みのL型金具（１４）を引っかけて、長方形の骨組みの反対側のコの字金具（２２）を後あおり板にはめ込んで使用する。コの字金具（２２）をはめ込む時は、小型トラックの荷台長の長さに合わせてコ型金具の可動部（ｂ）を長方形の骨組みの左右のパイプに押し込んで、長方形の骨組みのコ型金具（２２）までの長さを合わせて、右調整棒止めねじ（１７）と右調整棒止めねじ（１８）でコ型金具の可動部を固定して使用する特徴を持つ荷台カバーシート。
【請求項２】
請求項１記載の小型トラックの荷台に、前記の鳥居部中央中段又は上段に取り付けたL型金具（１４）の背部に取り付けた二つの鉄状の突起に、台形シート鳥居部の辺に合わせて作成した二つのはと目を挿入し、小型トラック荷台の左右の側あおり板へ台形シートを覆うように広げた左右の両辺に、鳥居部から後ろのあおり部へ向けて左右のあおり部挿入棒が入るように袋状にシートを縫合する。後あおり部からあおり部挿入棒が出ないように縫合し、その中に左右のあおり部挿入棒を入れて使用する荷台カバーシート。
【考案の詳細な説明】
【技術分野】
【０００１】
本考案は、台形シートと荷台長の長方形の骨組みを利用して、小型トラック荷台の雨水よけカバーに関するものである。
【背景技術】
【０００２】
一般に小型トラックの荷台専用シートとして荷台の大きさに合わせて製作してあり、端の適当な数か所にはと目がつけてあり、ゴム輪で荷台の側あおり板の下にある紐引っ掛け部分に止めるものが知られている。
【０００３】
小型トラックの荷台カバーから雨水が入らないように、小型トラックの鳥居部に鉄の板を固定し、その上から荷台カバーシートを掛けるようにしてあるものがある。
【先行技術文献】
【特許文献】
【０００４】
【特許文献１】特開２０１４−８８１５８
【考案の概要】
【考案が解決しようとする課題】
【０００５】
小型トラックの荷台専用シートとして、はと目をシートの端の数か所に取り付けてある場合は、荷物を荷台に乗せ、シートをかぶせて使用されているが、シートの端が散乱して左右及び後ろのあおり部を覆いにくくシートの脱着に手間がかかり、荷台を空にしてシートを装着したままだと、シートの中央に水が溜まった重みでシートが破れてしまうことがあった。
【０００６】
雨水を防止するために荷台の鳥居部に鉄の板で雨水が入らないように、その上からシートを取り付けてある場合でも、荷台中央部がロープなどで固定されていないと、走行時には風でシートの中央部が盛り上がってしまい、シートが剥がれたり破れたりするため、シート全体をロープやゴム紐で縛らなければならなかった。
【０００７】
本考案では、上記の問題を鑑みて、小型トラックの走行時でも荷台カバーシートの盛り上がりを防ぎ、シートの装着の手間を軽減することに努めた。
【課題を解決するための手段】
【０００８】
上記の課題を解決するために、本考案は、  小型トラックの荷台の鳥居部中央中段又は上段に、台形シートの中央の裏側に紐で括り付けた長方形の骨組みのL型金具を引っかけて、長方形の骨組みの反対側のコの字金具を後あおり板にはめ込んで使用する。コの字金具をはめ込む時は、小型トラックの荷台長の長さに合わせて小型金具の可動部を長方形の骨組みの左右のパイプに押し込んで、長方形の骨組みのコ型金具までの長さを合わせて、左右のネジで小型金具の可動部を固定して使用する。
【０００９】
本考案は、鳥居部中央中段又は上段に取り付けたL型金具の背部取り付けた二つの鉄状の突起に、台形シート鳥居部の辺に合わせて作成した二つのはと目を挿入して固定して、小型トラック荷台の左右の側あおり板へ台形シートを覆うように広げた左右の両辺に、鳥居部から後ろの後あおり部へ向けて左右のあおり部挿入棒が入るように袋状にシートを縫合する。後あおり部からあおり部挿入棒が出ないように縫合し、その中に左右のあおり部挿入棒を入れて使用する。
【００１０】
台形シートの鳥居部に、雨水除けシートを縫合し、後あおり部にも雨よけシートを縫合し荷台に雨水が入り込むことを防ぐようにした。
【考案の効果】
【００１１】
本考案は、台形シート（１）の裏側と長方形の骨組みとが紐状のもので結ばれ、鳥居部に接合されたL型金具（１４）を小型トラック荷台の鳥居部中央の中段に引っ掛け、長方形の骨組みの反対側の端を小型トラックの荷台長に合わせてコ型金具（２２）を後あおり板の上に乗せて使用することにより、荷台カバーシートを小型トラックの荷台にかぶせやすくなった。
【００１２】
荷台カバーシートをセットした状態で、左右の側あおり板にあたる台形シート（１）の左右の辺に、右あおり部挿入棒（１２）と左あおり部挿入棒（１３）が挿入されている為、左右の側あおり部の台形シートの辺を、中央の長方形の骨格方向に掛けると、荷物の出し入れが容易にできるようになり、荷台カバーシートの左右の側あおり部がまとわりつかなくなった。
【００１３】
荷台カバーシート内側は、長方形の骨組みに紐で結ばれ、鳥居部中央のＬ型金具（１４）の背面の突起に台形シートのはと目に挿入されているので、走行中でも台形シートが煽られたり鳥居部から外れることがなくなった。鳥居部と接触する所に、雨よけ用のシートが縫合してあるので、この雨よけシートを下部に押し込むことにより、荷台に雨水が入らないようにすることができた。
【００１４】
本考案の左右の側あおり板にあたる台形シート右側に、右あおり部挿入棒（１２）、左側に左あおり部挿入棒（１３）が挿入してあり、左右の挿入棒の内側にはと目が付いてゴム輪を通してあるので、そのゴム輪を左右の側あおり板の下の紐かけに引っ掛けることにより、走行時でも台形シートが固定され、叩けることなく使用することができた。
【図面の簡単な説明】
【００１５】
【図１】本実施形態の小型トラック荷台に取り付けた荷台カバーシートの斜面図
【図２】荷台カバーシートの表面図
【図３】長方形の骨組み斜面図と丸枠部ａ・ｂの拡大図
【図４】Ｌ型金具の斜面図
【図５】コ型金具の斜面図
【図６】荷台カバーシートの裏面図
【図７】小型トラック荷台に取り付けた荷台カバーシートの側面図
【図８】小型トラック荷台に取り付けた荷台カバーシートの上から見た図
【図９】小型トラック荷台に取り付けた荷台カバーシートの左側開放斜面図
【図１０】荷台カバーシートの取外し斜面図
【考案を実施するための形態】
【００１６】
まず台形シート（１）底辺を鳥居部辺（４７）として、その鳥居部の中央に雨水除け鳥居中央シート（２）の長辺部を縫合し、雨水除け鳥居中央シート（２）の右側に雨水除け鳥居右側シート（３）の長辺部分を台形シートの鳥居部右側に縫合する。雨水除け鳥居中央シート（２）の左側に雨水除け鳥居左部シート（４）の長辺部分を台形シートの鳥居部左側に縫合する。
【００１７】
台形シート（１）上辺を後あおり部辺（４８）として、雨水除け後あおりシート（５）の長辺部を縫合する
【００１８】
台形シート（１）の右側の辺に、右あおり部挿入棒（１２）が入るくらいの大きさで袋状に縫合し、後あおり部の辺（４８）を袋状に綴じる。左側の辺は、左あおり部挿入棒（１３）が入るくらいの大きさで袋状に縫合し、後あおり部辺（４８）を袋状に綴じる。
【００１９】
次に、鳥居部横棒（６）の一端と荷台長中央右パイプ（７）の一端を接合し、荷台長中央右パイプ（７）の反対の一端をパイプ穴が塞がらないように後あおり部横棒（１０）の一端と接合する。後あおり部横棒（１０）の反対の一端を荷台長中央左パイプ（１１）の一端とパイプ穴が塞がらないように接合し、荷台長中央左パイプ（１１）の他の一端と鳥居部横棒（６）の一端と接合して長方形となるようにする。その長方形の骨組み（図３）を地面に置き、上から見て鳥居部横棒（６）の下部にＬ型金具（１４）の背面を接合し、対する上部の左右の端に、鳥居部右シート止め突起（１５）と鳥居部左シート止め突起（１６）を柱状に立てて接合する。
【００２０】
荷台長中央右パイプ（７）と荷台長中央左パイプ（１１）が平行な長方形の骨格が作成された後、その長辺を三等分したそれぞれの鳥居部方向の両位置の内側に、鳥居側中横棒（８）の両端を接合する。そして三等分したそれぞれの後あおり部方向の両位置の内側に、後あおり側中横棒（９）を両端を接合する。荷台長中央右パイプ（７）と荷台長中央左パイプ（１１）の端が、後あおり部横棒（１０）とが接合されている適当な位置に、それぞれのパイプの横側からネジ穴をあけ、そのネジ穴に右調整棒止めねじ（１７）と左調整棒止めねじ（１８）を軽くねじ込んでおく。
【００２１】
荷台長右調整棒（１９）の一端と後あおり調整棒（２１）の一端を接合し、後あおり調整棒（２１）の残りの一端と荷台長左調整棒（２０）の一端を接合する。後あおり調整棒（２１）の接合していない荷台長右調整棒（１９）と荷台長左調整棒（２０）のそれぞれの端を、荷台長中央右パイプ（７）と荷台長中央左パイプ（１１）のパイプ穴に挿入する。荷台長左調整棒（２０）の接合していない端を荷台長中央左パイプ（１１）のパイプ穴に挿入し、後あおり調整棒（２１）の下面にコ型金具（２２）の背面中央部分を接合する。
【００２２】
小型トラックの鳥居部中央中段又は上段にＬ型金具（１１）を引っ掛けて、コ型金具（２２）が後あおり板の長さに長方形の骨格をコ型金具の可動部（ｂ）に合わせて、左右の荷台長右調整棒止めねじ（１７）と荷台長左調整棒止めねじ（１８）をねじ込む。これを荷台中央部の骨組みとする。
【００２３】
小型トラックに荷台の骨組みをセットした後、台形シートの鳥居部に付けた二つのはと目を、それぞれ鳥居部右シート止め突起（１５）と鳥居部左シート止め突起（１６）に入れて鳥部を固定する。シート裏側のシート結び紐（４１）〜（４６）を左右の荷台長中央右パイプ（７）と荷台長中央左パイプ（１１）に結び付ける。台形シートの右あおり部の袋状に縫合したところには右あおり部挿入棒（１２）を挿入し、台形シートの左あおり部の袋状に縫合したところに左あおり部挿入棒（１３）を挿入する。
【実施例】
【００２４】
この実施形態によれば、本考案は荷台カバーシートの取外し斜面図（図１０）の状態から小型トラックの荷台鳥居部中段中央に長方形の骨格のL型金具（１４）を引っかけ、長方形の骨格が台形シートと紐でコ型金具（２２）を後あおり板の上にかませて使用する。
【００２５】
荷台長の長さは、小型トラックの荷台長に合わせてコ型金具の可動部（ｂ）で長さを調整して、後あおり板とコ型金具の位置を合わせて荷台長右調整棒（１９）と荷台長左調整棒（２０）の長さを合わせて調整棒止めねじで固定する。
【００２６】
荷物を載せた後、左右の側あおり部に向かう台形シートの左右の挿入棒部分をそれぞれ左右の側あおり部の上に乗せる。その後、左右の側あおり部の内側のはと目に取り付けられたゴム輪（３３）〜（４０）を荷台の紐かけに引っ掛けて使用する。
【００２７】
荷台カバーシートを取り付けた状態で、荷台カバーシートの左側開放斜面図（図８）のように左右の側あおり部の台形シートを中央に剥いで荷台の積み下ろしができ、使用しないときは、荷台カバーシートの取外し斜面図（図１０）のように取り外して保管しておく。
【符号の説明】
【００２８】
（１）台形シート  
（２）雨水除け鳥居中部シート  
（３）雨水除け鳥居右部シート  
（４）雨水除け鳥居左部シート  
（５）雨水除け後あおりシート
（６）鳥居部横棒
（７）荷台長中央右パイプ
（８）鳥居側中横棒
（９）後あおり側中横棒
（１０）後あおり部横棒
（１１）荷台長中央左パイプ
（１２）右あおり部挿入棒
（１３）左あおり部挿入棒
（１４）Ｌ型金具
（１５）鳥居部右シート止め突起
（１６）鳥居部左シート止め突起
（１７）右調整棒止めねじ
（１８）左調整棒止めねじ
（１９）荷台長右調整棒
（２０）荷台長左調整棒
（２１）後あおり調整棒
（２２）コ型金具
（２３）〜（３２）はと目
（３３）〜（４０）ゴム輪
（４１）〜（４６）シート結び紐
（４７）鳥居部辺（台形シートの底辺）
（４８）後あおり部辺（台形シートの上辺）
【図１】
0003219257.tif 000003
【図２】
0003219257.tif 000004
【図３】
0003219257.tif 000005
【図４】
0003219257.tif 000006
【図５】
0003219257.tif 000007
【図６】
0003219257.tif 000008
【図７】
0003219257.tif 000009
【図８】
0003219257.tif 000010
【図９】
0003219257.tif 000011
【図１０】
0003219257.tif 000012
【手続補正書】
【提出日】平成30年9月26日(2018.9.26)
【手続補正１】
【補正対象書類名】実用新案登録請求の範囲
【補正対象項目名】全文
【補正方法】変更
【補正の内容】
【実用新案登録請求の範囲】
【請求項１】
小型トラックの荷台の鳥居中央中段又は上段に、台形シート（１）の中央の裏側に紐（４１〜４６）で括り付けた長方形の骨組みのＬ型金具（１４）を引っかけて、長方形の骨組みの反対側のコ型金具（２２）を後あおり板にはめ込んで使用する荷台カバーシートであって、コ型金具（２２）をはめ込む時は、小型トラックの荷台長の長さに合わせてコ型金具の可動部（ｂ）を長方形の骨組みの左右のパイプに押し込んで、長方形の骨組みのコ型金具（２２）までの長さを合わせて、右調整棒止めねじ（１７）と左調整棒止めねじ（１８）でコ型金具の可動部を固定して使用する特徴を持つ荷台カバーシート。
【請求項２】
前記小型トラックの荷台に、前記鳥居部中央中段又は上段に取り付けた前記Ｌ型金具（１４）の背部に取り付けた二つの鉄状の突起に、台形シート鳥居部の辺に合わせて作成した二つのはと目が挿入されており、前記小型トラックの荷台の左右の側あおり板へ台形シートを覆うように広げた左右の両辺に、鳥居部から後ろのあおり部へ向けて左右のあおり部挿入棒が入るように袋状にシートが縫合されており、後あおり部からあおり部挿入が出ないように縫合されており、その中に左右のあおり部挿入棒が入れられていることを特徴とする請求項１記載の荷台カバーシート。